【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
（ａ）潤滑粘度の油と、
（ｂ）１２〜２２個または１２〜２０個または１２〜１８個または１２〜１６個または１２〜１４個または１４〜２０個または１４〜１８個または１４〜１６個の炭素原子を有する少なくとも２つのヒドロカルビル基を含有する、０．０５〜３．０重量パーセント、または０．１〜２％、または０．３〜１％、または０．７％のＮ置換シュウ酸ビスアミドまたはアミド−エステルと、
（ｃ）０．０５〜３．０重量パーセント、または０．１〜２％、または０．３〜１％、または０．７％の式Ｒ１Ｒ２Ｎ−Ｃ（Ｘ）Ｒ３によって表されるアミドまたはチオアミド（式中、Ｘは、ＯまたはＳであり、Ｒ１およびＲ２は、それぞれ独立に、少なくとも６個または８〜２４個または１０〜１８個の炭素原子を有するヒドロカルビル基であり、Ｒ３は、１〜６個の炭素原子を有するヒドロキシアルキル基であるか、または前記ヒドロキシアルキル基を、そのヒドロキシル基を介してアシル化剤で縮合することによって形成された基である）と
を含む、組成物。
【請求項２】
（ｄ）１種または１種より多くのスクシンイミド分散剤を含む、１〜６重量パーセントまたは２〜５．５パーセントまたは３〜５パーセントの分散剤成分をさらに含み、前記分散剤成分が、０．０５〜１重量パーセントまたは０．１〜０．７パーセントまたは０．２〜０．６パーセントのホウ素を含有し、４０〜１００、または４０〜９０、または４５〜７０、または５０〜６８のＴＢＮ（オイルフリー）を有する、請求項１に記載の組成物。
【請求項３】
前記Ｎ置換シュウ酸ビスアミドまたはアミドエステルが、式
【化１４】
2017519066.tif 000001
（式中、Ｒ１、Ｒ２、Ｒ３、およびＲ４の少なくとも２つは、独立に、１２〜２２個の炭素原子を有するヒドロカルビル基を含む基であり、前記基Ｒ１、Ｒ２、Ｒ３、およびＲ４の２つまでは、独立に、水素であるか、または１０個もしくは１０個未満の炭素原子を有するヒドロカルビル基である）
によって表されるビスアミドを含む、請求項１または請求項２に記載の組成物。
【請求項４】
前記Ｎ置換シュウ酸ビスアミドまたはアミドエステルが、式
【化１５】
2017519066.tif 000002
（式中、各Ｒ１およびＲ２は、独立に、１２〜１８個の炭素原子を有するアルキル基である）
によって表されるビスアミドを含む、請求項１または２のいずれかに記載の組成物。
【請求項５】
前記Ｎ置換シュウ酸ビスアミドまたはアミド−エステルが、式
【化１６】
2017519066.tif 000003
（式中、Ｒ１およびＲ２は、独立に、１２〜２２個の炭素原子を有するヒドロカルビル基であり、Ｒ１０は、１〜２２個の炭素原子を有するヒドロカルビル基である）
によって表されるアミド−エステルを含む、請求項１または２のいずれかに記載の組成物。
【請求項６】
（ｂ）前記Ｎ置換シュウ酸ビスアミドまたはアミドエステルが、式
【化１７】
2017519066.tif 000004
（式中、Ｒ５およびＲ７のそれぞれは、独立に、１２〜２２個の炭素原子を有するヒドロカルビル基であり、Ｒ６およびＲ８のそれぞれは、独立に、水素であるか、または１〜２２個の炭素原子を有するヒドロカルビル基である）
によって表されるビスアミドを含む、請求項１から３のいずれかに記載の組成物。
【請求項７】
（ｃ）前記アミドまたはチオアミドにおいて、Ｒ１およびＲ２のそれぞれが、独立に、２−エチルヘキシル基または１０〜１８個の炭素原子を有する基である、請求項１から６のいずれか一項に記載の組成物。
【請求項８】
（ｃ）前記アミドまたはチオアミドが、アミドである、請求項１から７のいずれか一項に記載の組成物。
【請求項９】
（ｃ）前記アミドまたはチオアミドが、ジ−ココアルキルアミン部分または（２−エチルヘキシル）（水素化タロー）アミン部分を含む置換されている窒素部分Ｒ１Ｒ２Ｎ−、およびグリコール酸部分（ｇｌｙｃｏｌｉｃ  ｍｏｉｅｔｙ）を含むカルボキシ部分−Ｃ（Ｏ）Ｒ３を含む、請求項１から８のいずれか一項に記載の組成物。
【請求項１０】
（ｄ）前記分散剤成分が、０．１〜１重量パーセントまたは０．３〜０．８重量パーセントまたは０．５〜０．７重量パーセントのホウ素含量、および５０〜１００または７０〜９０のＴＢＮ（オイルフリー）を有する、第１のホウ素化スクシンイミド分散剤成分と、０．１重量パーセント未満のホウ素含量、および４０〜８０または４０〜７０または５０〜６０のＴＢＮ（オイルフリー）を有する第２のスクシンイミド分散剤成分とを含む、請求項２から９のいずれかに記載の組成物。
【請求項１１】
前記第２のスクシンイミド分散剤成分が、ホウ素を含まない、請求項１０に記載の組成物。
【請求項１２】
（ｄ）前記分散剤成分が、テレフタル酸または無機リン化合物またはジメルカプトチアジアゾール化合物のうちの少なくとも１つと反応する少なくとも１種のスクシンイミド分散剤を含む、請求項２から１１のいずれかに記載の組成物。
【請求項１３】
成分（ｂ）または成分（ｃ）のもの以外の、清浄剤、酸化防止剤、腐食防止剤、シール膨潤剤、摩耗防止剤、有機ホウ酸エステル、有機ホウ酸塩、消泡剤、粘度向上剤、または摩擦調整剤のうちの少なくとも１つをさらに含む、請求項１から１２のいずれか一項に記載の組成物。
【請求項１４】
潤滑されたクラッチを有するデバイスを潤滑する方法であって、前記デバイスに、請求項１から１３のいずれか一項に記載の組成物を供給することを含む、方法。
【請求項１５】
前記デバイスが、オートマチックトランスミッションを含む、請求項１４に記載の方法。
【手続補正２】
【補正対象書類名】明細書
【補正対象項目名】０００９
【補正方法】変更
【補正の内容】
【０００９】
オートマチックトランスミッション流体は、理想的には一般に得られる約０．０９２の値よりも高い、高い準静止摩擦（以下により詳細に説明する）を有し、静止摩擦（再び以下により詳細に説明する）を約０．１３５超の値に増大しないことが望ましい。さらにこれらの値は、経時的に安定であることが望ましく、すなわち、５００回の試験サイクルを２５００または１０，０００回のサイクルに延長しても、その値からの摩擦係数の低下が最小限に抑えられることが望ましい。良好な性能は、理想的には、トランスミッション操作温度の範囲にわたって持続すべきである。これらの目標を達成することは、良好なトルク能力、シャダー防止性能、および耐久性の特性を有する流体を提供する一助になる。本発明の材料は、これらの目的の１つまたは１つより多くを満たすのに適している。
一実施形態において、例えば、以下の項目が提供される。
（項目１）
（ａ）潤滑粘度の油と、
（ｂ）約１２〜約２２個または１２〜２０個または１２〜１８個または１２〜１６個または１２〜１４個または１４〜２０個または１４〜１８個または１４〜１６個の炭素原子を有する少なくとも２つのヒドロカルビル基を含有する、約０．０５〜約３．０重量パーセント、または０．１〜２％、または０．３〜１％、または約０．７％のＮ置換シュウ酸ビスアミドまたはアミド−エステルと、
（ｃ）約０．０５〜約３．０重量パーセント、または０．１〜２％、または０．３〜１％、または約０．７％の式Ｒ１Ｒ２Ｎ−Ｃ（Ｘ）Ｒ３によって表されるアミドまたはチオアミド（式中、Ｘは、ＯまたはＳであり、Ｒ１およびＲ２は、それぞれ独立に、少なくとも約６個または８〜２４個または１０〜１８個の炭素原子を有するヒドロカルビル基であり、Ｒ３は、１〜約６個の炭素原子を有するヒドロキシアルキル基であるか、または前記ヒドロキシアルキル基を、そのヒドロキシル基を介してアシル化剤で縮合することによって形成された基である）と
を含む、組成物。
（項目２）
（ｄ）１種または１種より多くのスクシンイミド分散剤を含む、約１〜約６重量パーセントまたは２〜５．５パーセントまたは３〜５パーセントの分散剤成分をさらに含み、前記分散剤成分が、約０．０５〜約１重量パーセントまたは０．１〜０．７パーセントまたは０．２〜０．６パーセントのホウ素を含有し、約４０〜約１００、または４０〜９０、または４５〜７０、または５０〜６８のＴＢＮ（オイルフリー）を有する、項目１に記載の組成物。
（項目３）
前記Ｎ置換シュウ酸ビスアミドまたはアミドエステルが、式
【化１４】
2017519066.tif 000005
（式中、Ｒ１、Ｒ２、Ｒ３、およびＲ４の少なくとも２つは、独立に、約１２〜約２２個の炭素原子を有するヒドロカルビル基を含む基であり、前記基Ｒ１、Ｒ２、Ｒ３、およびＲ４の２つまでは、独立に、水素であるか、または１０個もしくは１０個未満の炭素原子を有するヒドロカルビル基である）
によって表されるビスアミドを含む、項目１または項目２に記載の組成物。
（項目４）
前記Ｎ置換シュウ酸ビスアミドまたはアミドエステルが、式
【化１５】
2017519066.tif 000006
（式中、各Ｒ１およびＲ２は、独立に、約１２〜約１８個の炭素原子を有するアルキル基である）
によって表されるビスアミドを含む、項目１または２のいずれかに記載の組成物。
（項目５）
前記Ｎ置換シュウ酸ビスアミドまたはアミド−エステルが、式
【化１６】
2017519066.tif 000007
（式中、Ｒ１およびＲ２は、独立に、約１２〜約２２個の炭素原子を有するヒドロカルビル基であり、Ｒ１０は、１〜約２２個の炭素原子を有するヒドロカルビル基である）
によって表されるアミド−エステルを含む、項目１または２のいずれかに記載の組成物。
（項目６）
（ｂ）前記Ｎ置換シュウ酸ビスアミドまたはアミドエステルが、式
【化１７】
2017519066.tif 000008
（式中、Ｒ５およびＲ７のそれぞれは、独立に、約１２〜約２２個の炭素原子を有するヒドロカルビル基であり、Ｒ６およびＲ８のそれぞれは、独立に、水素であるか、または１〜約２２個の炭素原子を有するヒドロカルビル基である）
によって表されるビスアミドを含む、項目１から３のいずれかに記載の組成物。
（項目７）
（ｃ）前記アミドまたはチオアミドにおいて、Ｒ１およびＲ２のそれぞれが、独立に、２−エチルヘキシル基または約１０〜約１８個の炭素原子を有する基である、項目１から６のいずれか一項に記載の組成物。
（項目８）
（ｃ）前記アミドまたはチオアミドが、アミドである、項目１から７のいずれか一項に記載の組成物。
（項目９）
（ｃ）前記アミドまたはチオアミドが、ジ−ココアルキルアミン部分または（２−エチルヘキシル）（水素化タロー）アミン部分を含む置換されている窒素部分Ｒ１Ｒ２Ｎ−、およびグリコール酸部分（ｇｌｙｃｏｌｉｃ  ｍｏｉｅｔｙ）を含むカルボキシ部分−Ｃ（Ｏ）Ｒ３を含む、項目１から８のいずれか一項に記載の組成物。
（項目１０）
（ｄ）前記分散剤成分が、約０．１〜約１重量パーセントまたは０．３〜０．８重量パーセントまたは０．５〜０．７重量パーセントのホウ素含量、および約５０〜約１００または７０〜９０のＴＢＮ（オイルフリー）を有する、第１のホウ素化スクシンイミド分散剤成分と、約０．１重量パーセント未満のホウ素含量、および約４０〜約８０または４０〜７０または５０〜６０のＴＢＮ（オイルフリー）を有する第２のスクシンイミド分散剤成分とを含む、項目２から９のいずれかに記載の組成物。
（項目１１）
前記第２のスクシンイミド分散剤成分が、ホウ素を含まない、項目１０に記載の組成物。
（項目１２）
（ｄ）前記分散剤成分が、テレフタル酸または無機リン化合物またはジメルカプトチアジアゾール化合物のうちの少なくとも１つと反応する少なくとも１種のスクシンイミド分散剤を含む、項目２から１１のいずれかに記載の組成物。
（項目１３）
成分（ｂ）または成分（ｃ）のもの以外の、清浄剤、酸化防止剤、腐食防止剤、シール膨潤剤、摩耗防止剤、有機ホウ酸エステル、有機ホウ酸塩、消泡剤、粘度向上剤、または摩擦調整剤のうちの少なくとも１つをさらに含む、項目１から１２のいずれか一項に記載の組成物。
（項目１４）
項目１から１３のいずれか一項に記載の前記成分を混合することによって調製される組成物。
（項目１５）
潤滑されたクラッチを有するデバイスを潤滑する方法であって、前記デバイスに、項目１から１４のいずれか一項に記載の組成物を供給することを含む、方法。
（項目１６）
前記デバイスが、オートマチックトランスミッションを含む、項目１５に記載の方法。